(57)【要約】【課題】板金製の棚板の角部に周囲と接触しても傷を付けないようにするためのパットを容易かつ確実に取り付けることができる内視鏡用カートを提供すること。【解決手段】内視鏡と共に用いられる機材を載置するための板金製の棚板２，４を有し、棚板２，４の角部分に弾力性のあるパット１０が取り付けられた内視鏡用カートにおいて、棚板２，４の角部分に窓５を形成して、パット１０が外方から差し込み固定されるパット取付け金具６を窓５の内側に配置すると共に、パット１０には、パット取付け金具６に固定された状態において窓５の縁部５ａに対向する庇状部１１と、窓５の縁部５ａに沿って窓５内に潜り込む茎状部１２とを全周にわたって形成した。【選択図】      図１
2004222825.tif 000002
【特許請求の範囲】
【請求項１】
内視鏡と共に用いられる機材を載置するための板金製の棚板を有し、上記棚板の角部分に弾力性のあるパットが取り付けられた内視鏡用カートにおいて、
上記棚板の角部分に窓を形成して、上記パットが外方から差し込み固定されるパット取付け金具を上記窓の内側に配置すると共に、上記パットには、上記パット取付け金具に固定された状態において上記窓の縁部に対向する庇状部と、上記窓の縁部に沿って上記窓内に潜り込む茎状部とを全周にわたって形成したことを特徴とする内視鏡用カート。
【発明の詳細な説明】
【０００１】
【発明の属する技術分野】
この発明は、内視鏡と共に用いられる光源装置など各種機材を載せて自在に移動することができる内視鏡用カートに関する。
【０００２】
【従来の技術】
内視鏡用カートに載せられる機材には、ビデオプロセッサ等のように非常に精密でしかも重量のあるものが少なくない。そこで、棚板はプラスチック板ではなく金属板を用いるのが望ましく、従来一般には、単純な板金製の棚板が用いられる場合が多かった（例えば、特許文献１）。
【０００３】
しかし、単なる板金製の棚板を用いると、室内や廊下等を移動中に棚板の角部分で周囲の人や物を傷つける恐れがあるので、図７に例示されるように、棚板９１の角部に弾力性のあるパット９２を取り付けたものがある。
【０００４】
【特許文献１】
特開平１１−２９０２６２号公報
【０００５】
【発明が解決しようとする課題】
しかし、図７に示されるようにパット９２を棚板９１に対してビス止めやリベット等で固定すると、パット９２の取り付け作業が面倒で時間がかかるだけでなく、ビスやリベットの頭で周囲を傷つけないようにビスやリベット等の頭を隠すための栓体９３が必要になって、さらに取り付け作業が面倒で時間のかかるものになっていた。
【０００６】
そこで本発明は、板金製の棚板の角部に周囲と接触しても傷を付けないようにするためのパットを容易かつ確実に取り付けることができる内視鏡用カートを提供することを目的とする。
【０００７】
【課題を解決するための手段】
上記の目的を達成するため、本発明の内視鏡用カートは、内視鏡と共に用いられる機材を載置するための板金製の棚板を有し、棚板の角部分に弾力性のあるパットが取り付けられた内視鏡用カートにおいて、棚板の角部分に窓を形成して、パットが外方から差し込み固定されるパット取付け金具を窓の内側に配置すると共に、パットには、パット取付け金具に固定された状態において窓の縁部に対向する庇状部と、窓の縁部に沿って窓内に潜り込む茎状部とを全周にわたって形成したものである。
【０００８】
【発明の実施の形態】
図面を参照して本発明の実施例を説明する。
図２は内視鏡用カートを示しており、回転自在かつ方向転換自在な四つの車輪１が底面に取り付けられた床棚板２に例えば一対の支柱３が立設され、内視鏡と同時に使用される機材を載せるための複数の水平な上棚板４が、互いの間に間隔をあけて支柱３によって支持されている。なお、さらに内視鏡を吊持するためのハンガー等を取り付けてもよい。
【０００９】
各棚板２，４はいずれも板金製であり、ステンレス鋼板等の金属板を折り曲げて床のない箱状に形成されている。そして、図３に示されるように、各棚板２，４の四隅の角部に形成された窓５にパット１０が取り付けられている。
【００１０】
図１はその部分の平面断面図であり、図４は、組み立て工程においてパット１０が窓５に取り付けられる前の状態を示し、図５は、窓５部分を裏側から見た状態を示している。
【００１１】
窓５は棚板２，４の角部を上方から見て略「く」の字状にえぐった形状に開口形成されていて、パット１０を取り付けるための例えばステンレス鋼板製のパット取付け金具６が、窓５の内側に位置するように棚板２，４の裏面部に固定されている。その結果、パット取付け金具６が棚板２，４の四隅部分の補強にも寄与している。
【００１２】
パット１０は、ある程度の弾力性を有する例えばエチレンプロピレンゴム（ＥＰＤＭ）等のような材料によって成形されており、パット取付け金具６に固定された状態において窓５の縁部５ａに対向する庇状部１１と、窓５の「く」の字状の縁部５ａに沿って窓５内に潜り込む茎状部１２が全周にわたって形成されている。
【００１３】
またパット１０の裏面側には、外径が少し先細りのテーパ状に形成された弾性変形可能な差込筒部１３が後方に向けて真っ直ぐに突出し、その基部には差込筒部１３より外径の細い首部１４が形成されている。
【００１４】
パット１０には上述のような庇状部１１、茎状部１２、差込筒部１３及び首部１４が一体成形されて一部品として形成されており、パット取付け金具６には、差込筒部１３が外方から差し込まれる嵌込孔６ａが穿設されている。
【００１５】
そして、嵌込孔６ａの径がパット１０の首部１４の径と同程度に形成されているので、図６に示されるように、パット１０を窓５に外方から押し付けるだけで、パット１０の差込筒部１３がパット取付け金具６の嵌込孔６ａ内に導入されて差込筒部１３が弾性変形し、図１に示されるように、パット１０の首部１４が嵌込孔６ａに嵌まり込むことによってパット１０がパット取付け金具１３に固定されて窓５から抜け出さない状態になる。
【００１６】
すると、パット１０は庇状部１１が窓５の縁部５ａに全周にわたって対向する状態になると同時に、庇状部１１に連続する茎状部１２が縁部５ａの内側に沿って窓５内に潜った状態になるので、窓５の縁部５ａから棚板２，４の内側が見えてしまうような状態にはならない。
【００１７】
【発明の効果】
本発明によれば、板金製の棚板の角部が周囲と接触しても傷を付けないようにするためのパットを、棚板の角部分に形成された窓に外方から差し込むだけで容易かつ確実に固定することができる。そして、固定状態になれば棚板の窓が庇状部と茎状部によって塞がれ、棚板の内部が見えてしまうような状態にならない。
【図面の簡単な説明】
【図１】本発明の実施例の内視鏡用カートの棚板の角部の平面断面図である。
【図２】本発明の実施例の内視鏡用カートの斜視図である。
【図３】本発明の実施例の内視鏡用カートの棚板の角部の斜視図である。
【図４】本発明の実施例の内視鏡用カートの棚板の角部にパットが取り付けられる前の状態の斜視図である。
【図５】本発明の実施例の内視鏡用カートの棚板の角部の窓部分を裏側から見た状態の斜視図である。
【図６】本発明の実施例の内視鏡用カートの棚板の角部にパットが取り付けられる直前の状態の平面断面図である。
【図７】従来の内視鏡用カートの棚板の角部の平面断面図である。
【符号の説明】
２，４  棚板
５  窓
５ａ  縁部
６  パット取付け金具
６ａ  嵌込孔
１０  パット
１１  庇状部
１２  茎状部
１３  差込筒部
１４  首部
【図１】
2004222825.tif 000003
【図２】
2004222825.tif 000004
【図３】
2004222825.tif 000005
【図４】
2004222825.tif 000006
【図５】
2004222825.tif 000007
【図６】
2004222825.tif 000008
【図７】
2004222825.tif 000009